(57)【要約】【課題】コンテンツ配信装置等から受信したＣＭ付きのコンテンツをモバイル端末に移行して再生する場合であっても、ＣＭの宣伝広告効果が減少しないコンテンツ編集装置等を提供する。【解決手段】制作者が、性能レベル別編集情報をコンテンツに付与しておくことで、受信装置において再生装置の性能レベルで編集情報を特定し、この編集情報でコンテンツを編集し、性能レベルに従ってコンテンツをデータ変換して再生装置用のコンテンツを生成する。これによって、制作者が意図を再生装置用のコンテンツに反映させることできるため、再生装置でコンテンツを視聴するユーザに対して、コンテンツ提供者が意図した宣伝広告効果の減少を回避させることができる。【選択図】  図１
2007028228.tif 000002
【特許請求の範囲】
【請求項１】
コンテンツ配信装置から取得したコンテンツを編集して再生装置に出力するコンテンツ編集装置であって、
コンテンツを取得するコンテンツ取得手段と、
再生装置の機器性能に対応させて前記コンテンツの編集方法を記述している編集情報を取得する性能別編集情報取得手段と、
前記再生装置の機器性能を示す性能情報を取得する性能情報取得手段と、
取得された前記性能情報に示されている機器性能に対応する一の編集情報を特定する編集情報特定手段と、
特定された前記編集情報に従って、取得された前記コンテンツの表示内容について編集するコンテンツ編集手段と、
取得された前記性能情報に基づいて、編集された前記コンテンツのデータ形式を変換するコンテンツ変換手段と、
変換された前記コンテンツを前記再生装置に送信するコンテンツ出力手段と
を備えることを特徴とするコンテンツ編集装置。
【請求項２】
前記機器性能は、ＣＰＵ処理能力、画面提示能力若しくはビットレート、又はこれらの組み合わせである
ことを特徴とする請求項１記載のコンテンツ編集装置。
【請求項３】
前記画面提示能力は、画面サイズ、解像度若しくはフレームレート、又はこれらの組み合わせである
ことを特徴とする請求項２記載のコンテンツ編集装置。
【請求項４】
前記コンテンツ編集装置は、さらに、
前記再生装置の機器状態を取得する機器状態取得手段と、
取得された前記機器状態に応じて、取得された前記機器性能を変更する機器性能変更手段とを備え、
前記編集情報特定手段は、取得された前記性能別編集情報と、変更された前記機器性能とに基づいて編集情報を特定する
ことを特徴とする請求項１記載のコンテンツ編集装置。
【請求項５】
前記コンテンツ編集装置は、さらに、
前記再生装置の機器状態を取得する機器状態取得手段と、
取得された前記機器状態に応じて、特定された前記編集情報を変更する編集情報変更手段とを備え、
前記編集情報特定手段は、変更された前記編集情報を前記特定された編集情報とする
ことを特徴とする請求項１記載のコンテンツ編集装置。
【請求項６】
前記機器状態は、利用可能な記録容量、利用可能な通信接続時間、利用可能な通信帯域若しくは利用可能な電力使用時間、又はこれらの組合せである
ことを特徴とする請求項４又は５記載のコンテンツ編集装置。
【請求項７】
前記コンテンツ配信装置から取得されるコンテンツには、再生装置の機器性能に対応させて前記コンテンツの編集方法を記述している編集情報が含まれ、
前記性能別編集情報取得手段は、
前記コンテンツに含まれる前記編集情報を取得する
ことを特徴とする請求項１記載のコンテンツ編集装置。
【請求項８】
コンテンツ配信装置から取得したコンテンツを編集して再生装置に出力するためのコンテンツ編集方法であって、
コンテンツを取得するコンテンツ取得ステップと、
再生装置の機器性能に対応させて前記コンテンツの編集方法を記述している編集情報を取得する性能別編集情報取得ステップと、
前記再生装置の機器性能を示す性能情報を取得する性能情報取得ステップと、
取得された前記性能情報に示されている機器性能に対応する一の編集情報を特定する編集情報特定ステップと、
特定された前記編集情報に従って、取得された前記コンテンツの表示内容について編集するコンテンツ編集ステップと、
取得された前記性能情報に基づいて、編集された前記コンテンツのデータ形式を変換するコンテンツ変換ステップと、
変換された前記コンテンツを前記再生装置に送信するコンテンツ出力ステップとを含むことを特徴とするコンテンツ編集方法。
【請求項９】
コンテンツ配信装置から取得したコンテンツを編集して再生装置に出力するコンテンツ編集装置に用いられる、コンピュータに実行させるためのプログラムであって、
コンテンツを取得するコンテンツ取得ステップと、
再生装置の機器性能に対応させて前記コンテンツの編集方法を記述している編集情報を取得する性能別編集情報取得ステップと、
前記再生装置の機器性能を示す性能情報を取得する性能情報取得ステップと、
取得された前記性能情報に示されている機器性能に対応する一の編集情報を特定する編集情報特定ステップと、
特定された前記編集情報に従って、取得された前記コンテンツの表示内容について編集するコンテンツ編集ステップと、
取得された前記性能情報に基づいて、編集された前記コンテンツのデータ形式を変換するコンテンツ変換ステップと、
変換された前記コンテンツを前記再生装置に送信するコンテンツ出力ステップとを含むプログラム。
【請求項１０】
請求項８記載のコンテンツ編集方法を実現する集積回路。
【発明の詳細な説明】
【技術分野】
【０００１】
コンテンツを配信する技術に関し、特に、取得したコンテンツを他の装置に移動して利用する際のコンテンツの編集技術に関する。
【背景技術】
【０００２】
放送サービスや通信サービスにおいて提供される映像、番組又は音楽などのコンテンツに対し、ＣＭ部分のコンテンツ（「ＣＭコンテンツ」ともいう。）をユーザの嗜好にあわせて差し換えるコンテンツの編集方法が提案されている（例えば、特許文献１〜３参照）。
【０００３】
ここで、ＣＭ部分のコンテンツを差し換える編集方法について具体的に説明する。一部のシーンだけを差し替えるコンテンツの再生方式は、特にＣＭ部分を差し換えるニーズが強いことから、「ＣＭ差し替え」とも呼ばれる。
【０００４】
特許文献１、特許文献２および特許文献３における放送局等（コンテンツ配信者、若しくはコンテンツ制作者など）は、配信するコンテンツに対し属性情報（書誌情報(ジャンル、タイトル、出演者など）やターゲット属性（性別、年齢、地域等）など）を付与しておく。コンテンツを受信する装置（「受信装置」ともいう。）は、当該装置に格納されているユーザ情報（性別、年齢、地域、好みなど）と、配信された属性情報とを比較し、適切なＣＭを選択して差し替えを行うものである。
【特許文献１】特開２００１−１１１９２１号公報
【特許文献２】特開２０００−１５２２１５号公報
【特許文献３】特開２００２−１０１５８号公報
【発明の開示】
【発明が解決しようとする課題】
【０００５】
しかしながら、上記従来のＣＭ差し換え方式では、コンテンツを取得する受信装置と再生装置とが同一であることを想定しており、例えば、携帯電話やＰＯＤのような携帯型の再生装置の場合は、コンテンツを再生装置に持ち出してコンテンツを再生するが、再生装置の再生処理能力の制限や限界のために、再生自体ができないケースや、再生しても視認性が悪化するケースが発生するという問題がある。例えば、再生装置の画面サイズが小さかったり、再生処理能力が十分でないために据え置き型の受信装置の再生処理能力を想定して制作されたＣＭコンテンツの宣伝広告効果が十分得られないという問題が考えられる。
【０００６】
より詳細に説明すると、据え置き型の受信装置における大画面、高精細といった再生処理能力を前提に制作されたＣＭコンテンツは、細かな動作や繊細な色使いを多用するなど、高い再生処理能力を生かしたコンテンツ作りとなりがちである。この場合、ＣＭ差し替えを行い、高精細なコンテンツを再生装置の再生処理能力に合わせて変換し再生装置で再生すると、高精細な部位が粗く潰されてしまい、受信装置における再生で期待した視覚効果が得られず、ＣＭコンテンツの宣伝広告効果が十分発揮できないという問題が生じ得る。この場合の受信装置は、通信サービスや放送サービスから直接コンテンツを取得するテレビやパソコンや受信専用ＳＴＢ（Set Top Box）であり、一般的に再生能力が高く、高精細な映像表示装置（液晶テレビ、プラズマテレビなどのモニタ装置）とセットで、高精細な映像の再生が可能である。一方、受信装置からコンテンツを移行して再生する再生装置は、たとえば、携帯電話、Ｐａｌｍ、ＰＯＤといった携帯型の再生装置があり、受信装置に比較して、一般的に再生能力が低いため、上記の問題が発生する。
【０００７】
本発明は、上記課題に鑑み、コンテンツ配信装置等から受信したＣＭ付きのコンテンツをモバイル端末に移行して再生する場合であっても、ＣＭの宣伝広告効果を維持できるコンテンツ編集装置等を提供することを目的とする。
【課題を解決するための手段】
【０００８】
上記目的を達成するために、本発明に係るコンテンツ編集装置は、コンテンツ配信装置から取得したコンテンツを編集して再生装置に出力するコンテンツ編集装置であって、コンテンツを取得するコンテンツ取得手段と、再生装置の機器性能に対応させて前記コンテンツの編集方法を記述している編集情報を取得する性能別編集情報取得手段と、前記再生装置の機器性能を示す性能情報を取得する性能情報取得手段と、取得された前記性能情報に示されている機器性能に対応する一の編集情報を特定する編集情報特定手段と、特定された前記編集情報に従って、取得された前記コンテンツの表示内容について編集するコンテンツ編集手段と、取得された前記性能情報に基づいて、編集された前記コンテンツのデータ形式を変換するコンテンツ変換手段と、変換された前記コンテンツを前記再生装置に送信するコンテンツ出力手段とを備える。
【０００９】
これにより、取得したコンテンツを再生装置に移行して再生する場合に、再生装置の機器性能に応じて編集情報を特定し、コンテンツを編集して再生装置に送信するので、コンテンツ提供者が意図した宣伝広告効果を再生装置に反映させることが可能となる。
【００１０】
また、前記機器性能は、ＣＰＵ処理能力、画面提示能力若しくはビットレート、又はこれらの組み合わせであってもよい。
【００１１】
また、前記画面提示能力は、画面サイズ、解像度若しくはフレームレート、又はこれらの組み合わせであってもよい。
【００１２】
また、前記コンテンツ編集装置は、さらに、前記再生装置の機器状態を取得する機器状態取得手段と、取得された前記機器状態に応じて、取得された前記機器性能を変更する機器性能変更手段とを備え、前記編集情報特定手段は、取得された前記性能別編集情報と、変更された前記機器性能とに基づいて編集情報を特定することを特徴とする。
【００１３】
これにより、再生装置の機器状態によって機器性能を変更し、変更された機器性能に対応する編集情報を特定してコンテンツの編集を行うので、再生装置の状態に合わせて、より木目細かいコンテンツの編集が可能となる。
【００１４】
また、前記コンテンツ編集装置は、さらに、前記再生装置の機器状態を取得する機器状態取得手段と、取得された前記機器状態に応じて、特定された前記編集情報を変更する編集情報変更手段とを備え、前記編集情報特定手段は、変更された前記編集情報を前記特定された編集情報とすることを特徴とする。
【００１５】
これにより、再生装置の機器状態に応じて編集情報を特定してコンテンツの編集を行うので、再生装置の状態に合わせて、より木目細かいコンテンツの編集が可能となる。
【００１６】
また、前記機器状態は、利用可能な記録容量、利用可能な通信接続時間、利用可能な通信帯域若しくは利用可能な電力使用時間、又はこれらの組合せであってもよい。
【００１７】
また、前記コンテンツ配信装置から取得されるコンテンツには、再生装置の機器性能に対応させて前記コンテンツの編集方法を記述している編集情報が含まれ、前記性能別編集情報取得手段は、前記コンテンツに含まれる前記編集情報を取得することとしてもよい。
【００１８】
さらに、本発明は、上記コンテンツ編集装置における特徴的な構成手段をステップとするコンテンツ編集方法として実現したり、それらステップをパーソナルコンピュータ等に実行させるプログラムとして実現したり、集積回路として実現することもできる。そして、そのプログラムをＤＶＤ等の記録媒体やインターネット等の伝送媒体を介して広く流通させることができるのは云うまでもない。
【発明の効果】
【００１９】
本発明は、コンテンツに付与しておいた性能別編集情報に従ってコンテンツの編集とデータ変換を行うことで、より性能面で劣る再生装置で再生した場合であっても、コンテンツ編集装置で再生した場合と同程度の視認性が実現されるので、コンテンツ制作者の意図した宣伝広告効果を維持させることが可能となる。
【発明を実施するための最良の形態】
【００２０】
以下、本発明に係る実施の形態について、図面を参照しながら詳細に説明する。なお、以下の実施の形態において、本発明について図面を用いて説明するが、本発明はこれらに限定することを意図しない。
【００２１】
（実施の形態１）
図１は、本実施の形態に係るコンテンツ配信システム１０の概略を示すブロック図である。図１に示されるように、コンテンツ配信システム１０は、コンテンツ配信装置１００、コンテンツ編集装置２００および再生装置３００を備える。ここで、コンテンツとは、放送番組やその一部、ＣＭ、音楽又は映像などのデータをいう（また、静止画とその動作を指定するスクリプトで構成されるマルチメディアコンテンツであってもよい）。
【００２２】
コンテンツ配信装置１００は、例えば放送局やインターネット上のサービス提供会社等におけるコンテンツを配信するための装置であり、ユーザに提供する映画等の本編コンテンツ、宣伝広告用のＣＭコンテンツ、およびこれらのコンテンツに関するメタデータ等（以下、これらを総称する場合は「コンテンツ等」という。）を配信する機能を有する。
【００２３】
コンテンツ編集装置２００は、コンテンツ配信装置１００から配信されたコンテンツ等を受信し、当該コンテンツ等を再生装置３００で再生させるために、表示内容に関する編集および圧縮符号化等のデータ変換を行い、この変換されたコンテンツ等を再生装置３００に出力する機能を有する。もちろん、コンテンツ編集装置２００自身が、受信したコンテンツ等を再生する機能を有していてもよい。
【００２４】
再生装置３００は、コンテンツ編集装置２００から取得したコンテンツ等を再生し、ユーザに提示する機能を有する。
【００２５】
次に、コンテンツ配信システム１０におけるコンテンツ配信装置１００がコンテンツ等を配信し、再生装置３００がコンテンツ等を再生するまでの動作の概要について説明する（図１における（１）「取得」〜（５）「再生」参照）。
【００２６】
（１）コンテンツ編集装置２００は、予め再生装置３００から再生装置３００の  機器性能に関する情報（以下「性能情報」という。）を取得する。もちろん、  性能情報については、下記の（２）の「取得」処理終了時点で、再生装置とし  て特定された再生装置３００にアクセスして取得してもよい。
（２）コンテンツ編集装置２００は、コンテンツ配信装置１００から、コンテン  ツ等（即ち、性能レベル１用の本編のコンテンツＡおよびコマーシャル（「Ｃ  Ｍ」ともいう。）コンテンツＢを含むエレメンタリーストリームＥＳ１、性能  レベル２用のＣＭコンテンツＣおよび性能レベル３用のＣＭコンテンツＤを含  むエレメンタリーストリームＥＳ２、並びに再生装置の性能別に記載された編  集情報を含むメタデータ（Ｍ））を取得する。
（３）コンテンツ編集装置２００は、再生装置３００から取得した性能情報とコ  ンテンツ配信装置１００から取得した性能別に記載された編集情報を解析し、  再生装置３００の機器性能に対応する編集情報を特定し、この編集情報に従っ  て再生装置３００に出力するコンテンツ等の編集およびデータ変換を行う。
（４）コンテンツ編集装置２００は、データ変換を終えたコンテンツ等を再生装  置３００に移動（出力）する。
（５）再生装置３００は、コンテンツ編集装置２００から取得したコンテンツ等  を再生してユーザに提示する。
【００２７】
なお、上記「性能情報」については、予め機器性能についてグループ分けした性能レベル（即ち、性能レベル１、性能レベル２など）を定義し、この性能レベルを各装置間で共通で使用してもよい。ここで、「機器性能」とは、ＣＰＵ処理能力や、画面サイズ（例えば、Ｓ−ＱＣＩＦ／ＱＣＩＦ／ＣＩＦ、又はＱＶＧＡ／ＶＧＡ／ＳＶＧＡで指定する方法がある）、解像度若しくはフレームレート、又はこれらを組み合わせた画面提示能力や、ビットレート（例えば、「０．１〜１Ｍｂｐｓ／１〜５Ｍｂｐｓ／５Ｍｂｐｓ〜」のように範囲で指定する方法がある）などの通信性能や、これらを組み合わせたものでもよい。
【００２８】
また、機器性能は、性能レベルに加え、コンテンツの再生処理能力として、処理可能なデータフォーマットや、コンテンツを再生するための再生装置の処理リソースの能力を表すこととしてもよい。例えば、映像フォーマットでは、ＭＰＥＧ２、ＭＰＥＧ４−ＡＶＣ、ＶＣ−１、ＡＴＲＡＣ３等の符号圧縮方式などがある。
【００２９】
図２は、本実施の形態に係るコンテンツ編集装置２００の機能構成を示すブロック図である。図２に示されるように、コンテンツ編集装置２００は、コンテンツ取得部２０１、コンテンツ編集部２０２、性能別編集情報取得部２０３、性能情報取得部２０４、編集情報特定部２０５、コンテンツ変換部２０６、コンテンツ出力部２０７、管理部２０８および入出力部２０９を備える。
【００３０】
コンテンツ取得部２０１は、コンテンツ配信装置１００から上記コンテンツ等を取得し、管理部２０８に格納する。例えば、コンテンツ配信装置１００がデジタル放送システムにおける送出装置の場合は、コンテンツ取得部２０１は、アンテナを含むチューナユニットであり、復調機能およびデコード機能等を備える。また、コンテンツ配信装置１００がサーバ型放送システムにおける送出装置の場合は、コンテンツ取得部２０１は、ネットワーク制御ユニットであり、ルータ等を含みインターネット等を介するコンテンツ等の送受信を制御する。
【００３１】
コンテンツ編集部２０２は、コンテンツ配信装置１００から取得した性能別編集情報の中から、再生装置３００の機器性能に対応する編集情報を特定し、この編集情報の記載に基づいて、再生装置３００において再生するコンテンツを編集し、コンテンツ変換部２０６に送信する。さらに、コンテンツ編集部２０２は、ＲＯＭやＲＡＭ等を備えるマイクロコンピュータであり、コンテンツ編集装置２００全体を制御する。
【００３２】
性能別編集情報取得部２０３は、コンテンツ配信装置１００から性能別に記載された編集情報を取得する。具体的には、性能別編集情報取得部２０３は、コンテンツ配信装置１００から配信されるコンテンツ等に含まれるメタデータから取得する。なお、上記の性能別に記載された編集情報は、インターネット等のネットワークを介して取得してもよい。
【００３３】
性能情報取得部２０４は、再生装置３００から再生装置３００の性能を表した性能情報（又は性能レベル）を取得し、編集情報特定部２０５およびコンテンツ変換部２０６に通知する。
【００３４】
編集情報特定部２０５は、性能別編集情報取得部２０３から取得した性能別編集情報の中から、性能情報取得部２０４から取得した再生装置３００の性能情報に対応する編集情報を特定し、コンテンツ編集部２０２に送信する。
【００３５】
コンテンツ変換部２０６は、コンテンツ編集部２０２から送信された、編集されたコンテンツ等に対して再生装置３００の圧縮方式やデータフォーマット等に合致するようにデータ変換を行ってコンテンツ出力部２０７に送信する。
【００３６】
コンテンツ出力部２０７は、コンテンツ変換部２０６から受信したデータ変換されたコンテンツ等を再生装置３００に出力する。
【００３７】
管理部２０８は、例えばハードディスク装置やＤＶＤ装置であり、上記コンテンツ等やライセンスに関する情報（以下、単に「ライセンス」という。）の記憶を行い、コンテンツ管理部２１０、ライセンス管理部２２０およびメタデータ管理部２３０を備える。
【００３８】
コンテンツ管理部２１０は、コンテンツ取得部２０１を介して受信した本編コンテンツおよびＣＭコンテンツを記憶する。
【００３９】
ライセンス管理部２２０は、コンテンツ取得部２０１を介して受信したライセンスを記憶する。
【００４０】
メタデータ管理部２３０は、コンテンツ取得部２０１を介して受信したメタデータを記憶する。
【００４１】
入出力部２０９は、各種スイッチ、リモコン、液晶パネルおよびスピーカ等を備え、ユーザからの指示を受け付けると共に、コンテンツ配信装置１００から取得したコンテンツ等を再生してユーザに提示する。
【００４２】
図３は、本実施の形態に係る再生装置３００の機能構成を示すブロック図である。図３に示されるように、再生装置３００は、コンテンツ取得部３０１、全体制御部３０２、性能情報生成部３０３、性能情報出力部３０４、コンテンツ再生部３０５、提示部３０６および入力部３０７を備える。
【００４３】
コンテンツ取得部３０１は、コンテンツ編集装置２００からコンテンツ等を取得し、必要なデコード等の処理を行う。
【００４４】
全体制御部３０２は、例えばＲＯＭやＲＡＭ等を備えるマイクロコンピュータであり、再生装置３００全体を制御する。さらに、全体制御部３０２は、コンテンツ取得部３０１を介して取得されたコンテンツ等をコンテンツ再生部３０５に送信する。
【００４５】
性能情報生成部３０３は、再生装置３００の性能を表す性能情報（又は性能レベル）を生成し、性能情報出力部３０４に送信する。
【００４６】
性能情報出力部３０４は、性能情報生成部３０３から受信した性能情報（又は性能レベル）をコンテンツ編集装置２００に出力する。
【００４７】
コンテンツ再生部３０５は、全体制御部３０２から受信したコンテンツ等を提示部３０６に表示する。
【００４８】
提示部３０６は、例えば液晶パネルやスピーカ等を備えており、コンテンツ再生部３０５の制御の下、コンテンツ等を再生してユーザに提示する。
【００４９】
入力部３０７は、各種スイッチ、リモコン等を備え、ユーザからの指示を受け付けて全体制御部３０２に通知する。
【００５０】
次に、上記のように構成されるコンテンツ編集装置２００および再生装置３００の動作について、図４〜図１８を参照しながら詳細に説明する。
【００５１】
なお、以下では、コンテンツ配信装置１００から取得したコンテンツ等を編集し、編集されたコンテンツ等のデータ形式を変換（以下、単に「データ変換」という。）して再生装置３００に出力する場合について説明する。また、再生装置３００のためのコンテンツ等の編集（生成）や移動（出力）には、一定のライセンスが必要であるものとする。
【００５２】
まず、コンテンツ編集装置２００における動作（即ち、コンテンツ配信装置１００からコンテンツ等を取得し、このコンテンツ等を編集および変換して再生装置３００に出力するまでの動作）について説明する。
【００５３】
図４は、コンテンツ編集装置２００の動作の流れを示すフローチャートである。また、図５は、コンテンツ配信装置１００からコンテンツ編集装置２００に配信される各種のデータを示す図である。
【００５４】
最初に、コンテンツ取得部２０１は、コンテンツ配信装置１００から配信された、本編コンテンツであるコンテンツＡ、ＣＭコンテンツであるコンテンツＢ〜Ｄ、メタデータＭ、コンテンツＡの変換用のライセンス１４１、コンテンツＢ〜Ｄの変換用のライセンス１４３および再生装置３００用に新たなコンテンツＥを生成するための生成用のライセンス１５５を取得し、管理部２０８におけるコンテンツ管理部２１０、ライセンス管理部２２０又はメタデータ管理部２３０に記録する（Ｓ１００）。図６は、コンテンツ配信装置１００から取得した各種データが管理部２０８に記録された様子を示す図である。
【００５５】
このあと、入出力部２０９を介してユーザによる「移動指示」を受信すると（Ｓ１１０：ｙｅｓ）、コンテンツ編集部２０２は、メタデータ管理部２３０からメタデータＭを読み出し、性能別編集情報を取得する（Ｓ１２０）。さらに、コンテンツ編集部２０２は、再生装置３００の性能レベルについて取得済みか否かについてチェックし（Ｓ１３０）、未取得の場合は（Ｓ１３０：ｎｏ）、性能情報取得部２０４に性能レベルを取得するように指示する（Ｓ１４０）。性能レベルの取得は、コンテンツ編集装置２００と再生装置３００とが最初に接続された時に取得してもよいし、上記のチェック毎に取得してもよい（図7参照）。さらに、もし、合致する性能レベルがない場合は、図８に示すように、入出力部２０９に性能レベルを特定するための入力画面を提示し、入出力部２０９のリモコン等を介して、性能レベルの指定を受け付けることとしてもよい。
【００５６】
一方、再生装置３００の性能レベルが取得済みの場合（Ｓ１３０：ｙｅｓ）、コンテンツ編集部２０２は、性能レベルに対応する編集情報を特定し、この編集情報に基づいて再生装置３００用のコンテンツ等を編集し、コンテンツ変換部２０６に送信する（Ｓ１５０）。この場合、コンテンツ編集部２０２は、性能レベル「Ｌ２」に対応する編集情報に基づいてコンテンツを編集（生成）し、再生装置３００用のコンテンツＥを生成する。より詳しく説明すると、コンテンツ編集部２０２は、コンテンツＡの変換用のライセンス１４１を用いて、コンテンツＡから引き継ぐ部分（図１１（ａ）に示すコンテンツＡにおける８１１と８１３）をデコードし、ＣＭコンテンツＣの変換用ライセンス１４３を用いてＣＭコンテンツＣをデコードし、コンテンツＥの作成用のライセンス１５５を用いて、上記デコード後の結合したコンテンツをエンコードしてコンテンツＥ（図１１（ｂ））を得る。
【００５７】
さらに、コンテンツ編集部２０２は、編集したコンテンツＥをコンテンツ管理部２１０に記録すると共に、メタデータ１３１に記載された情報から、コンテンツＥの再生に必要なライセンスの取得先の情報等を取得して、ライセンス取得先情報等を含むコンテンツＥ用のメタデータ１３３を生成し、ライセンス管理部２２０に記録する。
【００５８】
この後、編集されたコンテンツ等を受信したコンテンツ変換部２０６は、再生装置３００の性能等に合わせてデータ変換を行い（Ｓ１６０）、再生装置３００に出力する（Ｓ１７０）。
【００５９】
図９は、メタデータ管理部２３０に記憶されている、各性能レベルについて性能情報を定義したテーブルの一例である。図９に示されるように、予め性能レベル毎に、画面サイズや圧縮符号化方式などについて、コンテンツの配信側とコンテンツの利用側で取り決めておくこととする。
【００６０】
図１０（ａ）は、メタデータ管理部２３０に記憶されている、各性能レベルについて編集情報を定義したテーブルの一例である。コンテンツ編集部２０２は、上記の編集情報に基づいて、例えば再生装置３００の性能レベルが「Ｌ２」の場合は、｛（１１１、０〜９００sec）、（１１３、０〜１２０sec）、（１１１、１０２０〜１８００sec）｝という編集情報が特定される（ここで、「１１１」はコンテンツＡ、「１１３」はコンテンツＣを示す識別ＩＤとする）。つまり、コンテンツＡの｛０〜９００sec｝部分と、コンテンツＣの｛０〜１２０sec｝部分と、コンテンツＡの｛１０２０〜１８００sec｝部分から構成されるコンテンツを生成することを意味する。なお、性能レベル毎に編集情報を定義する方法は、上記図１０（ａ）の方法に限るものではなく、その他の方法であってもよい。図１０（ｂ）は、性能レベルにTV-Anytime Forumで策定されたＣＲＩＤを対応させて編集情報を定義した例である。
【００６１】
図１２は、上記の処理後の管理部２０８に格納されている各データの様子を示す図である。上記図6と比較すると、新たに再生装置３００用のコンテンツＥがコンテンツ管理部２１０に、メタデータＮがメタデータ管理部２３０にそれぞれ格納されていることがわかる。
【００６２】
一般に、ライセンスは、コンテンツを暗号化するための鍵ＫＸと、視聴時利用、変換時利用、生成時利用といった利用条件を指定する利用条件情報と、１回まであるいは３回まで視聴可能といった回数制限情報や、合計１００分まであるいは合計３００分までといった時間制限情報といった制限情報がパッケージされている。ライセンス１２１は、コンテンツＡを暗号化した鍵ＫＡと、利用条件として視聴時利用と、なんらかの制限情報がパッケージされている。ライセンス１２３は、コンテンツＣを暗号化した鍵ＫＣと、利用条件として視聴時利用と、なんらかの制限情報がパッケージされている。ライセンス１４１には、コンテンツＡを暗号化した鍵ＫＡと、利用条件情報として変換時利用と、なんらかの制限情報がパッケージされている。ライセンス１４５には、コンテンツＣを暗号化した鍵ＫＣと、利用条件として変換時利用と、なんらかの制限情報がパッケージされている。ライセンス１５５には、コンテンツＥを暗号化する鍵ＫＥと、利用条件情報として生成時利用と、なんらかの制限情報がパッケージされている。
【００６３】
次に、再生装置３００における動作（即ち、コンテンツ編集装置２００からコンテンツ等を取得し、このコンテンツ等を提示するまでの動作）について説明する。
【００６４】
図１３は、再生装置３００の動作の流れを示すフローチャートである。また、図１４は、コンテンツ編集装置２００から再生装置３００に配信される各種データを示す図である。
【００６５】
最初に、コンテンツ取得部３０１は、コンテンツ編集装置２００からコンテンツＥとメタデータＮを取得する（Ｓ２００）。
【００６６】
このあと、入力部３０７を介してユーザによる「再生指示」を受信すると（Ｓ２１０：ｙｅｓ）、全体制御部３０２は、取得したメタデータＮを読み出し、編集情報を取得する。さらに、全体制御部３０２は、コンテンツＥを再生するためのライセンスについて取得済みか否かについてチェックし（Ｓ２２０）、未取得の場合は（Ｓ２２０：ｎｏ）、コンテンツ取得部３０１にライセンスを取得するように指示する（Ｓ２３０）。ライセンスの取得は、メタデータＮに記載されたライセンス取得先ＵＲＬを読み込み、本ＵＲＬにアクセスすることでライセンス管理装置４００に接続し、コンテンツＥの識別ＩＤをライセンス管理装置４００に通知すると共に、ライセンス１２５の取得を依頼する。コンテンツＥの視聴が有料の場合、ライセンス管理装置４００は、課金処理を実施した上で、ライセンス１２５を再生装置３００に転送する（図１５参照）。ライセンス１２５には、例えばコンテンツＥの復号に用いるコンテンツ鍵ＫＥと利用情報として視聴時利用とその利用制限情報が記載されている。
【００６７】
この後、再生装置３００は、ライセンス１２５の利用条件を確認し、ライセンス１２５に記載されたコンテンツ鍵ＫＥを利用して、コンテンツＥをデコードし、再生する（Ｓ２４０）。
【００６８】
図１６は、コンテンツ編集装置２００においてコンテンツAを表示した場合のコマーシャル映像の表示例であり、図１７は、再生装置３００においてコンテンツＥを表示した場合のコマーシャル映像の表示例である。これらの図から明らかなように、コンテンツ編集装置２００に比べて、たとえ画面サイズが小さかったり、画素数が少ない場合であっても、再生装置３００の機器性能に応じてコンテンツの内容を編集することにより、宣伝広告機能を維持できることがわかる。
【００６９】
（変形例）
なお、上記図４の処理（Ｓ１５０）において、編集情報を特定する方法のバリエーションとして、再生装置３００の機器性能により特定した編集情報を、再生装置３００の機器状態に基づいて変更する方法が考えられる。この編集情報を変更する手順について図１８のフローチャートを参照しながら説明する。ここで、「機器状態」とは、利用可能な記録容量、利用可能な通信接続時間、利用可能な通信帯域、利用可能な電力使用時間などが該当する。また、「利用可能な記録容量」とは、たとえば、ＨＤＤやメモリーカードの記録領域において、コンテンツの書き込み可能な残容量や、コンテンツを削除した場合の空き容量などである。
【００７０】
最初に、コンテンツ編集部２０２は、取得した性能レベルと、メタデータ１３１に含まれる性能別編集情報から、性能レベルに対応する編集情報を特定する（Ｓ３００）。
【００７１】
次に、コンテンツ編集部２０２は、再生装置３００の機器性能の取得に合わせて、機器状態を取得する（Ｓ３１０）。なお、コンテンツ編集装置２００と再生装置３００とが最初に接続した際に、再生装置３００の機器性能と機器状態とを取得および記録しておいてもよい。
【００７２】
コンテンツ編集部２０２は、取得した機器状態に基づいて、性能別編集情報を特定し（Ｓ３２０）、機器状態に基づいて編集情報を変更する（Ｓ３３０）。ここで、機器状態に基づいて編集情報の変更とは、たとえば、生成するコンテンツＥのコンテンツサイズが再生装置３００の残容量、若しくは空き容量よりも大きくなると判断すると、コンテンツサイズを小さくするように編集情報を変更したり、生成するコンテンツＮのコンテンツサイズが、再生装置３００の通信接続時間と通信帯域から算出した転送可能なコンテンツサイズより大きくなると判断すると、コンテンツサイズを小さくするように編集情報を変更したり、生成するコンテンツＥの再生に必要な消費電力が、再生装置３００の利用可能な電力よりも大きくなると判断すると、消費電力が小さくなるように編集情報を変更したりする。
【００７３】
さらに、コンテンツ編集部２０２は、変更された編集情報に従って、再生装置３００用のコンテンツＥを編集（生成）する（Ｓ３４０）。
【００７４】
なお、コンテンツ配信装置１００からコンテンツ編集装置２００への配信方法は、放送衛星を経由した衛星放送、地上波電波を経由した地上波放送、地域密着型のケーブル配信、インターネット網を経由したブロードバンド配信などが考えられるが、配信形態については、どういう形態であってもかまわない。また、上記実施の形態では、コンテンツＡを一旦コンテンツ編集装置２００の記録領域に記録しているが、地域密着型のケーブル配信や、インターネット網を利用したブロードバンド配信などにおいて実施可能なユーザのリクエストに応じて、コンテンツを配信できるビデオオンデマンド配信を利用すれば、コンテンツを一旦コンテンツ編集装置２００に記録しないで、視聴や変換する場合に、コンテンツ配信装置１００に管理されたままの状態で、直接取得することも可能である。
【００７５】
なお、コンテンツの編集によってコンテンツの一部を異なるコンテンツの一部と差換えるために、異なるコンテンツを配信する必要があり、この差換え用コンテンツの配信方法としては、本編コンテンツとは別個のElementary Streamとして配信する方法や、変換された、若しくは非変換の差換え用コンテンツを、サーバ型放送のＴｙｐｅ２による配信を行ってもよいし、変換された、若しくは非変換の差換え用コンテンツを、インターネット経由で配信してもよい。
【００７６】
なお、本発明に係る再生装置は、モバイル端末（ＰＯＤ、携帯電話など）に限定せず、据え置き型のテレビ受像機やＳＴＢ等であってもよい
【産業上の利用可能性】
【００７７】
本発明は、放送波やネットワーク等を介してコンテンツを配信するコンテンツ配信システムに適用が可能であり、特に取得したコンテンツをモバイル端末等に移動して利用するテレビ受像機等に利用が可能である。
【図面の簡単な説明】
【００７８】
【図１】本実施の形態に係るコンテンツ配信システムの概略を示すブロック図である。
【図２】本実施の形態に係るコンテンツ編集装置の機能構成を示すブロック図である。
【図３】本実施の形態に係る再生装置の機能構成を示すブロック図である。
【図４】本実施の形態に係るコンテンツ編集装置の動作の流れを示すフローチャートである。
【図５】本実施の形態に係るコンテンツ配信装置からコンテンツ編集装置に配信される各種のデータを示す図である。
【図６】本実施の形態に係るコンテンツ配信装置から取得した各種データが管理部に記録された様子を示す図である。
【図７】本実施の形態に係るコンテンツ編集装置が再生装置から性能情報（）（又は性能レベル）を取得する様子を示す図である。
【図８】本実施の形態において性能レベルを特定するための画面表示例である。
【図９】本実施の形態に係るメタデータ管理部に記憶されている、各性能レベルについて性能情報を定義したテーブルの一例である。
【図１０】（ａ）は、本実施の形態に係るメタデータ管理部に記憶されている、各性能レベルについて編集情報を定義したテーブルの一例である。（ｂ）は、本実施の形態に係るメタデータ管理部に記憶されている、各性能レベルについて編集情報を定義したテーブルのその他の例である。
【図１１】（ａ）は、本実施の形態に係るコンテンツＡの構成例を示す図である。（ｂ）は、本実施の形態に係るコンテンツＥの構成例を示す図である。
【図１２】本実施の形態において、再生装置用のコンテンツが生成された後における管理部に記録される各種データの様子を示す図である。
【図１３】本実施の形態に係る再生装置の動作の流れを示すフローチャートである。
【図１４】本実施の形態に係るコンテンツ編集装置から再生装置に配信される各種データを示す図である。
【図１５】本実施の形態に係る再生装置がライセンスを取得する様子を示す図である。
【図１６】本実施の形態に係るコンテンツ編集装置においてコンテンツAを表示した場合のコマーシャル映像の表示例である。
【図１７】本実施の形態に係る再生装置においてコンテンツＥを表示した場合のコマーシャル映像を表示した場合の一例である。
【図１８】変形例に係るコンテンツ編集装置の動作の流れを示すフローチャートである。
【符号の説明】
【００７９】
１０      コンテンツ配信システム
１００      コンテンツ配信装置
１１１      コンテンツＡ
１１３      コンテンツＣ
１１５      コンテンツＥ
１２１      コンテンツＡの視聴用ライセンス
１２３      コンテンツＣの視聴用ライセンス
１２５      コンテンツＥの視聴用ライセンス
１３１      コンテンツＡのメタデータ
１３５      コンテンツＥのメタデータ
１４１      コンテンツＡの変換用ライセンス
１４３      コンテンツＣの変換用ライセンス
１５５      コンテンツＥの生成用ライセンス
２００      コンテンツ編集装置
２０１      コンテンツ取得部
２０２      コンテンツ編集部
２０３      性能別編集情報取得部
２０４      性能情報取得部
２０５      編集情報特定部
２０６      コンテンツ変換部
２０７      コンテンツ出力部
２０８      管理部
２０９      入出力部
２１０      コンテンツ管理部
２２０      ライセンス管理部
２３０      メタデータ管理部
３００      再生装置
３０１      コンテンツ取得部
３０２      コンテンツ編集部
３０３      性能情報生成部
３０４      性能情報出力部
３０５      コンテンツ再生部
３０６      提示部
３０７      入力部
４００      ライセンス管理装置
【図１】
2007028228.tif 000003
【図２】
2007028228.tif 000004
【図３】
2007028228.tif 000005
【図４】
2007028228.tif 000006
【図５】
2007028228.tif 000007
【図６】
2007028228.tif 000008
【図７】
2007028228.tif 000009
【図８】
2007028228.tif 000010
【図９】
2007028228.tif 000011
【図１０】
2007028228.tif 000012
【図１１】
2007028228.tif 000013
【図１２】
2007028228.tif 000014
【図１３】
2007028228.tif 000015
【図１４】
2007028228.tif 000016
【図１５】
2007028228.tif 000017
【図１６】
2007028228.tif 000018
【図１７】
2007028228.tif 000019
【図１８】
2007028228.tif 000020